(57)【特許請求の範囲】
【請求項１】
複数本の線材を束ねたブラシ毛を備え、上記ブラシ毛を所定の基体の表面に植設して用いられるブラシであって、
前記ブラシ毛の根元部を囲繞して該根元部に固着され、前記ブラシ毛に一体化されるカラーと、
このカラーの外径よりも若干大きい内径を有し、且つ上記カラーの長さよりも若干浅い深さの有底の中空部をその一端部に備えると共に、外周にネジ溝を形成したボルト体からなり、前記基体の表面側から該基体に穿たれたネジ孔に螺合させて固定されるホルダと、
キャップ状のナットであって、そのキャップ部に前記カラーの外径よりも小さい内径で前記ブラシ毛だけを挿通し得る孔部を備え、この孔部に前記ブラシ毛をその先端側から挿通して前記カラーにより固着された前記ブラシ毛の根元部に装着され、前記ホルダのネジ溝に螺合して設けられて前記カラーの端部を前記ホルダ側に押さえ込んで該カラーを前記中空部に固定するキャップナットと
を具備したことを特徴とするブラシ。
【請求項２】
前記ホルダは、その外周に形成したネジ溝に螺合して、該ホルダの前記基体への固定に用いられるナットを備えることを特徴とする請求項１に記載のブラシ。
【請求項３】
前記ホルダは、前記ネジ溝を形成した外周の長手方向の中央部に該ホルダの前記基体への固定に用いられるフランジを備えることを特徴とする請求項１に記載のブラシ。
【請求項４】
前記ホルダは、前記中空部を形成した端部とは逆側の端部に、該ホルダを前記基体のネジ孔にガイドする丸棒部を備えることを特徴とする請求項１〜３の何れかに記載のブラシ。
【発明の詳細な説明】
【０００１】
【発明の属する技術分野】
本発明は、香料の付着した除骨たばこ葉や刻みたばこ（たばこ葉）を撹拌しながら乾燥させる撹拌乾燥装置等に用いるに好適で、交換等のメンテナンス性に優れたブラシに関する。
【０００２】
【関連する背景技術】
香料の付着した除骨たばこ葉や刻みたばこ（たばこ葉と称す）を撹拌しながら乾燥させる撹拌乾燥装置は、概略的には図４に示すようにたばこ葉が収納される円筒状のドラム１と、このドラム１内に設けられて、その周面に複数のブラシ２を螺旋状に植設した円筒状のブラシ取り付け軸３とからなる。そして上記ドラム１とブラシ取り付け軸３とをそれぞれ回転させながらたばこ葉（図示せず）を撹拌し、ドラム１の内周面に植設された突起（ピン）４に絡まったたばこ葉をブラシ２により払い落とすことで、その乾燥を促進する如く構成される。
【０００３】
ちなみに上記ブラシ２は、耐熱性、耐摩耗性に優れた合成樹脂製の複数本の線材、例えばポリエーテルエーテルケトン製の線材（ピーク材）を束ねたブラシ毛を備えたものからなる。
【０００４】
【発明が解決しようとする課題】
ところでこの種の撹拌乾燥装置のブラシ取り付け軸３に装着されて用いられるブラシ２は、例えば図５に示す如く構成されている。即ち、複数本の線材を束ねたブラシ毛１１は、その根元部をリング状のカラー１２によりカシメられて一体化されている。このブラシ毛１１は、段付きの貫通孔１３を備えたボルト体からなるホルダ１４にその裏面側から挿通され、カラー１２を貫通孔１３の内側に位置付けた状態において該貫通孔１３の後端に螺合される止めネジ１５によりホルダ１４に固定されるものとなっている。
【０００５】
しかしてブラシ毛１１を固定してなるホルダ１４は、その周面に設けたネジ溝１４ａを、ブラシ取り付け軸（基体）３に予め設けられているネジ溝３ａに螺合することにより、該ブラシ取り付け軸３に取り付けられる。尚、図中１６は、ホルダ１４の周囲に遊嵌され、ブラシ取り付け軸３の表面とホルダ１４の頭部との間に介装されるスプリングワッシャである。
【０００６】
しかしながらこのような構造のブラシ２においては、ブラシ毛１１の交換時には、その都度、ブラシ取り付け軸３からホルダ１４を取り外す必要がある。しかもボルト体をなすホルダ１４の軸方向に設けられた段付きの細長い貫通孔１３内にブラシ毛１１を通す際、ブラシ毛１１の先端がその段部に引っ掛かり易いのでブラシ毛１１の交換作業が困難である等の問題がある。
【０００７】
本発明はこのような事情を考慮してなされたもので、その目的は、ブラシ毛の交換等のメンテナンス性に優れ、例えば香料の付着したたばこ葉を撹拌しながら乾燥させる撹拌乾燥装置に用いるに好適な簡易な構造のブラシを提供することにある。
【０００８】
【課題を解決するための手段】
上述した目的を達成するべく本発明に係るブラシは、
例えばポリエーテルエーテルケトン製からなる複数本の線材を束ねたブラシ毛の根元部を囲繞し、これをカシメる等して該根元部に固着されて前記ブラシ毛に一体化されるカラーと、
このカラーの外径よりも若干大きい内径を有し、且つ上記カラーの長さよりも若干浅い深さの有底の中空部をその一端部に備えると共に、外周にネジ溝を形成したボルト体からなり、前記ブラシ毛が植設される所定の基体、例えば撹拌乾燥装置におけるブラシ取り付け軸等の基体の表面側から該基体に穿たれたネジ孔に螺合させて固定されるホルダと、
キャップナットであって、そのキャップ部に前記カラーの外径よりも小さい内径の前記ブラシ毛だけを挿通し得る孔部を備え、この孔部に前記ブラシ毛をその先端側から挿通して前記カラーにより固着された前記ブラシ毛の根元部に装着され、前記ホルダのネジ溝に螺合して設けられて前記カラーの端部を前記ホルダ側に押さえ込んで該カラーを前記中空部に固定するキャップナットと
を具備したことを特徴としている。
【０００９】
好ましくは、請求項２に記載するように前記ホルダは、その外周に形成したネジ溝に螺合して、該ホルダの前記基体への固定に用いられるナットを備える。或いは請求項に記載するように前記ホルダは、前記ネジ溝を形成した外周の長手方向の中央部に該ホルダの前記基体への固定に用いられるフランジを備えることを特徴とする。
【００１０】
また請求項４に記載するように前記ホルダの前記中空部を形成した端部とは逆側の端部に、該ホルダを前記基体のネジ孔にガイドする丸棒部を設けることも好ましい。
【００１１】
【発明の実施の形態】
以下、図面を参照して本発明の一実施形態に係るブラシについて説明する。
図１はこの実施形態に係るブラシの構造を分解して示した図であり、図２はその組み立て構造と、撹拌乾燥装置におけるブラシ取り付け軸等からなる基体への取り付け構造を示す図である。
【００１２】
このブラシは、耐熱性および耐摩耗性に優れ、しかもヘタリ難い合成樹脂製の線材、例えばポリエーテルエーテルケトン製の複数本の線材（ピーク材）を束ねたブラシ毛２１を備える。このブラシ毛２１は、円筒状またはキャップ状のカラー２２にてその根元部を囲繞してカシメられて、該根元部に固着されてカラー２２と一体化される。このカラー２２によりその根元部がカシメられるブラシ毛２１は、例えば繊維径が１ｍｍ程度で、１５ｃｍ程度の毛丈（長さ）を有するピーク材を５０本程度、その一端部において円形に束ねたものからなる。
【００１３】
一方、上記ブラシ毛２１を保持し、例えば撹拌乾燥装置におけるブラシ取り付け軸等の基体３５に上記該ブラシ毛２１を植設するためのホルダ２３は、その外周にネジ溝２４を形成したボルト体からなる。このホルダ２３の一端部には、該ホルダ２３と同軸に前記カラー２２を収容する有底の中空部２５が設けられている。この中空部２５は、前記カラー２２の外形よりも若干大きい内径を有し、且つカラー２２の長さよりも若干浅い深さを有するものである。
【００１４】
またこのホルダ２３の他端部には、前記ネジ溝２４よりも若干小径の丸棒部２６が、後述するガイドとして機能させるべく該ホルダ２３と同軸に設けられている。尚、このホルダ２３には、その付属品として前記ネジ溝２４に螺合するナット２７、およびスプリングワッシャ２８が設けられる。これらのナット２７およびスプリングワッシャ２８は、前記基体３５へのホルダ２３の取り付けに用いられるものである。尚、スプリングワッシャ２８を用いることなくその取り付けを行うように構成される場合もある。
【００１５】
一方、前記ホルダ２３のネジ溝２４に螺合するキャップナット２９は、そのキャップ部に前記ブラシ毛２１を挿通する孔部３０を備えている。この孔部３０は前記カラー２２の外径よりも小さい内径を有し、前記ブラシ毛２１だけを挿通させ得る大きさのものからなる。そしてこのキャップナット２９は、図２に示すように上記ブラシ毛２１をその先端部から孔部３０に挿通させ、前記カラー２２を中空部２５に嵌め込んだ状態でネジ溝２４に螺合することで該ホルダ２３に装着される。このようにしてホルダ２３に装着されるキャップナット２９により、前記中空部２５に嵌め込まれたカラー２２がホルダ２３側に押さえ付けられて該ホルダ２３に保持され、これによってブラシ毛２１がその根元部にてホルダ２３に対して一体に装着される。
【００１６】
尚、前記ホルダ２３の前記基体３５への取り付けは、予め基体２５に設けられているネジ孔に前記ネジ溝２４を螺合することによってなされる。具体的にはホルダ２３にネジ溝２４に前述したナット２７を嵌め、更にネジ溝２４の後端側にスプリングワッシャ２８を嵌め込んだ状態で、ホルダ２３の後端部に形成された丸棒部２６を前記基体２５の表面側から、該基体２５に予め穿たれているネジ孔に挿通させる。そして丸棒部２６をガイドとしてホルダ２３の軸心とネジ孔の軸心とを一致させ、この状態でネジ孔内にホルダ２３を所定長だけ螺じ込む。
【００１７】
この結果、ホルダ２３は丸棒部２６に案内されてネジ孔に対してその向きが規制されて確実に螺合する。従って基体３５の表面がブラシ取り付け軸等のように円筒面をなすような場合であっても、また該ブラシ取り付け軸が円筒ドラムの内側に設けられて、その作業空間が制約されるような場合であっても、そのネジ孔にホルダ３５を、ひいてはブラシ毛２１を確実に装着することが可能となる。またホルダ２３を基体３５に装着するに際して、上述したように丸棒部２６のガイド作用によりホルダ２３の向きを規制することができるので、基体３５に設けられたネジ孔を損傷させる虞もない。
【００１８】
しかる後、ネジ孔に対するホルダ２３の螺合状態を保ったまま、該ホルダ２３の周面に設けられたネジ溝２４に螺合させたナット２７を回すことで該ナット２７を基体３５側に変位させ、スプリングワッシャ２８を強制的に撓ませながら該ナット２７と基体３５とでホルダ２３を回転不能に固定する。この場合、ナット２７および基体３５がホルダ２３におけるネジ溝２４の歯面に対して互いに逆向きの力を作用させてその歯面を押さえ込むことで、ホルダ２３を回転不能に保持することになる。
【００１９】
かくして上述した如き構造を有して基体２３のネジ孔に装着されるブラシによれば、ホルダ２３を基体２３に固定した状態で前述したキャップナット２９を弛めて該ホルダ２３から取り外せば、これによってカラー２２によりその根元部が固定されたブラシ毛２１を基体３５から、ひいてはホルダ２３から取り外すことができる。またキャップナット２９の孔部３０にブラシ毛２１を挿通させ、その根元部のカラー２２をホルダ２３の中空部２５に嵌め込んだ後、該キャップナット２９をホルダ２３の先端部に螺合すれば、これによってブラシ毛２１をホルダ２３に、ひいては基体２５に装着することができる。
【００２０】
即ち、ホルダ２３を、一旦、基体３５に取り付ければ、このホルダ２３を基体３５から取り外すことなく、キャップナット２９の着脱だけによりブラシ毛２１のホルダ２３（基体３５）への取り付け、取り外しを行うことができる。従って基体３５からホルダ２３を取り外す必要がなく、しかもホルダ２３の前面側からブラシ毛２１の交換等のメンテナンス作業を簡易に、しかも効率的に行うことができる。
【００２１】
また上述した構造であれば、毛丈の長いブラシ毛２１をキャップナット２９の孔部３０に挿通させるにしても、キャップナット２９自体が薄いので、ブラシ毛２１の先端近傍を指先等にて押さえてその先端部（毛先）のバラツキを抑えながら、ブラシ毛２１をその先端から容易に孔部３０を挿通させることができる。
即ち、前述した従来構造のように貫通孔１３が長いような場合、ブラシ毛２１の先端近傍を指先にて押さえてその挿通作業を進めることができず、必然的にブラシ毛２１の中間部分を指先にて押さえることになる。するとブラシ毛２１の先端部分がばらけて拡がるので、その挿通作業時に貫通孔１３の段差部にブラシ毛２１の先端が引っ掛かり易くなる。この点、上述した構造によれば、キャップナット２９の厚みが薄いので、ブラシ毛２１の先端部のバラツキを抑えながらその先端部を孔部３０に挿通させることが容易であり、従ってキャップナット２９へのブラシ毛２１のはめ込みを容易に行うことができる。これ故、ブラシ毛２１の交換作業を簡易に、効率良く実行することができ、そのメンテナンス性の向上を図ることが可能となる。
【００２２】
尚、本発明は上述した実施形態に限定されるものではない。例えばホルダ２３の付属品としてのナット２７に変えて、図３に示すようにホルダ２３の外周面にフランジ３１を一体に設けておき、このフランジ３１を用いて該ホルダ２３の基体３５への取り付けを行うように構成することも可能である。この場合、フランジ３１の外形をナット形状としておけば、基体３５に対するホルダ２３の着脱を容易に行うことが可能となる。
【００２３】
またブラシ毛２１の長さやその線材については、該ブラシが装着される装置の仕様に応じて設定すれば良いものである。その他、本発明はその要旨を逸脱しない範囲で種々変形して実施することができる。
【００２４】
【発明の効果】
以上説明したように本発明によれば、ブラシ毛を保持するホルダに対して、該ホルダの前面側からブラシ毛を装着し、これをキャップナットにより固定する構造のブラシなので、基体に装着したホルダを取り外すことなくブラシ毛の交換等のメンテナンスを簡易に実行することができる。しかも構造が簡単であり、ホルダの基体への取り付けも容易に、しかも確実に行いうる等の実用上多大なる効果が奏せられる。
【図面の簡単な説明】
【図１】本発明の一実施形態に係るブラシの概略構成を分解して示す図。
【図２】図１に示すブラシの組み立て構造と、撹拌乾燥装置におけるブラシ取り付け軸等からなる基体への取り付け構造を示す図
【図３】本発明の別の実施形態に係るブラシの構造を示す図。
【図４】ブラシが組み込まれる撹拌乾燥装置の要部を示す概略的な構成図。
【図５】従来のブラシの構成例を示す図。
【符号の説明】
２１  ブラシ毛
２２  カラー
２３  ホルダ
２４  ネジ溝
２５  中空部
２６  丸棒部
２７  ナット
２８  スプリングワッシャ
２９  キャップナット
３０  孔部
３１  フランジ
３５  基体（ブラシ取り付け軸）
【図１】
0003712346.tif 000002
【図２】
0003712346.tif 000003
【図３】
0003712346.tif 000004
【図４】
0003712346.tif 000005
【図５】
0003712346.tif 000006